(57)【要約】【課題】簡易な構造で、製造した土嚢を重機等で簡単に釣り上げ移動させることができるようにする。【解決手段】土嚢袋の口を上方に向けて開いた状態に保持することができる有底で側面が逆円錐台状又は逆四角錐台状の土嚢袋保持容器１０と、土嚢袋保持容器１０の上方に支持された漏斗状の充填物投入部２０と、土嚢袋保持容器１０を充填物投入部２０の下方から、土嚢袋が重機等で釣り上げられる位置まで移動させる移動手段３０と、を備えた構成とした。【選択図】図１
2017186753.tif 000002
【特許請求の範囲】
【請求項１】
土嚢袋に充填物を充填して土嚢を作る土嚢製造装置であって、
前記土嚢袋の口を上方に向けて開いた状態に保持する保持手段と、
前記土嚢袋の上方に支持された漏斗状の充填物投入部と、
前記土嚢袋を前記充填物投入部の下方から、重機等で釣り上げられる位置まで移動させる移動手段と、
を備えた土嚢製造装置。
【請求項２】
土嚢袋に充填物を充填して土嚢を作る土嚢製造装置であって、
前記土嚢袋の口を上方に向けて開いた状態に保持することができる、有底で側面が逆円錐台状又は逆四角錐台状の土嚢袋保持容器と、
前記土嚢袋保持容器の上方に支持された漏斗状の充填物投入部と、
前記土嚢袋保持容器を前記充填物投入部の下方から、前記土嚢袋が重機等で釣り上げられる位置まで移動させる移動手段と、
を備えた土嚢製造装置。
【発明の詳細な説明】
【技術分野】
【０００１】
本発明は、土嚢袋に土砂等を充填して土嚢を製造する装置に関するものである。
【背景技術】
【０００２】
この種の装置として、特許文献１に記載のものが提案されている。これによれば、製造した土嚢の上方のホッパを移動させることができるため、製造した土嚢を重機等で簡単に釣り上げ移動させることができる。
【０００３】
しかし、特許文献１に記載の技術では、ホッパを片持ちで支持し、支持部を中心として回転させることでホッパを移動させる方式のため、構造が複雑でコスト面とメンテナンス面で改善の余地があった。また、全体の重量が重く、装置を移動させることが容易ではなかった。
【先行技術文献】
【特許文献】
【０００４】
【特許文献１】特開２０１４−２２７７１４号公報
【発明の概要】
【発明が解決しようとする課題】
【０００５】
本発明は、このような事情に鑑みてなされたものであり、製造した土嚢を重機等で簡単に釣り上げ移動させることができる、簡易な構造の土嚢製造装置を提供することを目的としている。
【課題を解決するための手段】
【０００６】
上記課題を解決するために、本発明は、土嚢袋に充填物を充填して土嚢を作る土嚢製造装置であって、土嚢袋の口を上方に向けて開いた状態に保持する保持手段と、土嚢袋の上方に支持された漏斗状の充填物投入部と、土嚢袋を前記充填物投入部の下方から、重機等で釣り上げられる位置まで移動させる移動手段と、を備えている。
【０００７】
また、本発明の他の方式としては、土嚢袋に充填物を充填して土嚢を作る土嚢製造装置であって、土嚢袋の口を上方に向けて開いた状態に保持することができる有底で側面が逆円錐台状又は逆四角錐台状の土嚢袋保持容器と、土嚢袋保持容器の上方に支持された漏斗状の充填物投入部と、土嚢袋保持容器を充填物投入部の下方から、土嚢袋が重機等で釣り上げられる位置まで移動させる移動手段と、を備えている。なお、本発明の土嚢袋保持容器には、バケツ状のものだけでなく、かご状のものも含まれる。
【発明の効果】
【０００８】
本発明によれば、簡易な構造で、製造した土嚢を重機等で簡単に釣り上げ移動させることができる。
【図面の簡単な説明】
【０００９】
【図１】実施形態に係る土嚢製造装置の概略を示した説明図である。
【図２】土嚢袋保持容器を充填物投入部の下方から移動させた状態を示した説明図である。
【図３】土嚢製造装置を運搬する時の状態を示した説明図である。
【図４】土嚢袋保持容器に土嚢袋を保持させた状態を示した説明図である。
【発明を実施するための形態】
【００１０】
以下、本発明である土嚢製造装置を具現化した実施形態について、図面を用いて説明するが、本発明の技術的範囲は、もちろんこれだけに限定されるものではない。なお、周知の技術に関しては、詳細な説明を省略する。
【００１１】
まず、実施形態である土嚢製造装置１の構成について、主に図１を参照して説明する。図１は、土嚢製造装置１の概略を示した説明図である。図１に示すように、土嚢製造装置１は、土嚢袋保持容器１０、充填物投入部２０、台車３０（本発明の移動手段に相当する）で構成されている。
【００１２】
土嚢袋保持容器１０は、底面と底面に立設するかご状の側面とを有し、側面は逆円錐台形状をしている。すなわち、有底で側面が逆円錐台状である。土嚢袋保持容器１０は上方から土嚢袋を入れ、土嚢袋の口を開くようにして土嚢袋の上端を側面にくくりつけることで、土嚢袋を口を開いた状態で保持することができる。また、図４に示すように、土嚢袋が大きい場合は、上端で土嚢袋の口の部分を折り返して土嚢袋保持容器１０の外側に出すようにすることで、土嚢袋を口を開いた状態で保持することができる。なお、本実施形態では、逆円錐台形状としたが、逆四角錐台形状としてもよい。また、本実施形態では、かご状の側面としたが、板状の側面としてもよい。
【００１３】
充填物投入部２０は、漏斗形状であり、上方から投入した土砂等の充填物を下部の排出口２１から排出するようになっている。充填物投入部２０は、基体２２に立設する４本の支柱Ａ２３と、支柱Ａ２３の上端に支持された４本の支柱Ｂ２４によって、土嚢袋保持容器１０の上方に支持されている。支柱Ａ２４の脚部には、嵌合部２５が設けられており、支柱Ａ２３の上端に着脱自在に嵌合している。
【００１４】
台車３０は、台板３１の下面に４つの車輪３２が設けられた通常の台車である。台板３１の上面には、土嚢袋保持容器１０が載置され固定されている。これにより、図２に示すように、土嚢袋を充填物投入部２０の下方から重機等で釣り上げられる位置まで移動させることができるようになっている。
【００１５】
基体２２には、台車３０の移動を案内する案内部３３が左右の車輪の内側に当接する位置にそれぞれ１つずつ、計２つ設けられている。また、基体２２には、台車３０を充填物投入部２０の下方である定位置に移動させた時の位置決めのためのストッパ３４が２つ設けられている。また、台車３０を充填物投入部２０の下方から重機等で釣り上げられる位置まで移動させた時の位置決めのためのストッパ３５が２つ設けられている。
【００１６】
また、基体２２には、４本の支柱Ｂ２４に支持された充填物投入部２０を支柱Ａ２３に干渉させない位置で着脱自在に支持するための運搬用支持部２６が４つ立設している。図３に示すように、土嚢製造装置１を運搬する際には、嵌合部２５を運搬用支持部２６に嵌合させ、４本の支柱Ｂ２４に支持された充填物投入部２０を運搬用支持部２６に支持させるようにする。これにより、土嚢製造装置１の運搬時の高さを抑えることができ、安全性を高めることができる。
【００１７】
上述した内容は、あくまでも本発明の一実施形態に関するものであって、本発明が上記内容に限定されることを意味するものではない。例えば、土嚢袋を直接台車の上に置き、支柱２３に架け渡された横枠２７にフック付きの土嚢袋固定紐（図示せず）を設け（本発明の保持手段に相当する）、このフック（図示せず）を土嚢袋に設けられたフック取り付け紐に引っかけることで、土嚢袋の口を上方に向けて開いた状態に保持することもできる。
また、本実施形態で記載されている数値（寸法）及び材質は、これに限られるものでなく、適宜変更する設計的な事項である。
【符号の説明】
【００１８】
１   土嚢製造装置
１０ 土嚢袋保持容器
２０ 充填物投入部
２１ 排出口    ２２ 基体    ２３ 支柱Ａ    ２４ 支柱Ｂ    ２５ 嵌合部
２６ 運搬用支持部  
３０ 台車（移動手段に相当）
３１ 台板    ３２ 車輪    ３３ 案内部    ３４ ストッパ    ３５ ストッパ
【図１】
2017186753.tif 000003
【図２】
2017186753.tif 000004
【図３】
2017186753.tif 000005
【図４】
2017186753.tif 000006